(57)【要約】【課題】  材料費や加工費を低減することのできる紙製深皿を提供することを課題とする。【解決手段】  紙製深皿２７は、平板１１に波板１２を貼り合わせてなる段ボール紙を素材として、波板１２側が外面、平板１１側が食べ物載置面となる向きでプレス加工により深皿状に成形してなることを特徴とする。利用者の指は、波板１２を構成する波の頂部１６だけに接触するため、熱い若しくは冷たい食べ物を取り扱う場合であっても、利用者は熱さや冷たさをあまり感じることなく、深皿２７を取り扱うことができる。【選択図】      図７
2005047581.tif 000002
【特許請求の範囲】
【請求項１】
平板に波板を貼り合わせてなる段ボール紙を素材として、波板側が外面、平板側が食べ物載置面となる向きでプレス加工により深皿状に成形してなることを特徴とする紙製深皿。
【請求項２】
前記波板の波は、規則的に蛇行させた蛇行波であることを特徴とする請求項１記載の紙製深皿。
【発明の詳細な説明】
【技術分野】
【０００１】
本発明は紙製深皿、特に使い捨てに適した紙製深皿に関する。
【背景技術】
【０００２】
食物を載せる皿は陶器皿が基本であるが、使い捨ての用途にはプラスチック皿が実用に供されてきた。しかし、プラスチック皿は、焼却時に有害なガスが発生し、また破砕し埋め立てた時には腐植しないので、環境問題を引き起こす。そこで、近年、焼却や埋め立てが可能な紙皿が使い捨て皿として注目されている。
【０００３】
紙からなる使い捨て容器について幾つかの提案がなされてきた（例えば、特許文献１参照。）。
【特許文献１】実用新案登録第３０６５４７１号公報
【０００４】
図８は特許文献１の図１の再掲図であり、容器（１）は、容器の組立段階で外装材（５）に隙間（４）を保って容器本体（３）を重ねてなる二重構造の容器であり、素材が紙であることを特徴とする。
【０００５】
二重構造であるため、容器本体（３）から外装材（５）への熱伝導が小さくなり、容器本体（３）の熱い食品を入れても、外装材（５）を持つことができる。又は、容器本体（３）に冷たい食品を入れた場合に、食品が暫くは温まらない。したがって、熱いものでも冷たいものでも載置収納できるというものである。
【０００６】
しかし、二重構造であるため、種々の問題が生じる。すなわち、容器本体と外装材とを各々製造するため材料費が嵩む。そして、容器本体と外装材との間に隙間を確保するためにリブなどを設けなければならず、加工費が嵩む。そして、容器本体と外装材を一体化する組立が不可欠であるため、加工費は更に膨らむ。素材が紙であって自然に戻すことができることは利点であるが、材料費や加工費が嵩むのではその利点が消えかねない。
【発明の開示】
【発明が解決しようとする課題】
【０００７】
そこで、本発明は、材料費や加工費を低減することのできる紙製深皿を提供することを課題とする。
【課題を解決するための手段】
【０００８】
請求項１に係る発明は、平板に波板を貼り合わせてなる段ボール紙を素材として、波板側が外面、平板側が食べ物載置面となる向きでプレス加工により深皿状に成形してなることを特徴とする。
【０００９】
請求項２に係る発明は、波板の波は、規則的に蛇行させた蛇行波であることを特徴とする。
【発明の効果】
【００１０】
請求項１に係る発明では、一枚の段ボール紙をプレス加工するだけであるから、組立は不要となり、加工費用を大幅に削減することができる。
加えて、利用者の指は、波板を構成する波の頂部だけに接触するため、熱い若しくは冷たい食べ物を取り扱う場合であっても、利用者は熱さや冷たさをあまり感じることなく、深皿を取り扱うことができる。
【００１１】
請求項２に係る発明では、波を蛇行させた。波を蛇行させたことにより、外観性を高めることができる。
また、波が直線波（頂部が一直線である波）であれば、波と波との間の谷又は波の頂部で折れ易いため、強度的に課題が残るが、請求項２に係る発明では、蛇行波を採用したので谷や頂部での折れを抑制することができ、深皿の剛性をより高めることができる。
【発明を実施するための最良の形態】
【００１２】
本発明を実施するための最良の形態を添付図に基づいて以下に説明する。
図１は本発明で採用した素材の断面図であり、段ボール紙の製造工程で、平板１１に、波板１２を貼り合わせることで製造した段ボール紙１０を示す。段ボール紙１０は、古紙、新聞紙、その他の紙製破棄物を原料とすると共に、段ボール製造工場で大量に生産できるため、低コストで、容易に入手できる。
【００１３】
図示しないが、平板１１の表面１３に、ポリエチレンやポリプロピレンなどの無害で且つ防水性に富む樹脂を塗布する若しくは塗布してあることが望ましい。
【００１４】
図２は図１の２矢視図であり、波板１２の波は、規則的に蛇行させた蛇行波１４であり、この蛇行波１４を等間隔で多数平行に配列したことを特徴とする。
波が直線波であれば、波と波との間の谷又は波の頂部で折れ易いため、強度的に課題が残るが、本発明では、蛇行波１４を採用したので谷１５や頂部１６での折れを抑制することができる。
【００１５】
図３は剪断後の段ボール紙の背面図であり、大判の段ボール紙から、適当な大きさの段ボール円板１８を、切り出す。この切り出しは剪断機、剪断プレスを用いることで効率よく実施することができる。
【００１６】
図４は段ポール円板の平面図であり、段ボール円板１８の平板１１側にに、放射状に多数本の筋目１９を入れる。これらの筋目１９はプレス工程での皺発生を防止する。
筋目１９は、専用プレスで刻むか、剪断機（剪断プレス）で同時に刻むことで発生させることができる。
【００１７】
図５は本発明に係るプレス工程の説明図であり、凹部２１を有するダイ２２と、凹部２１に対応する凸部２３を有するパンチ２４と、縁抑えとしてのブランクホルダ２５とからなるプレス機２０を準備する。図示しないが、ダイ２２及びパンチ２４はヒータを備え、高温に保つことができる。ヒータは電熱ヒータ、スチームヒータを問わない。
【００１８】
先ず、パンチ２４及びブランクホルダ２５を上方へ待機させる。そして、ダイ２２に段ボール円板１８を、波板１２がダイ２２側になるようにして載せる。次に、フランクホルダ２５を下げ、このブランクホルダ２５で段ボール円板１８の縁をダイ２２に押圧する。この押圧は、波板１２の高さＨが、（０．３〜０．５）×Ｈになる程度に設定する。０．３×Ｈ未満では、縁が潰れすぎて成形品の外観性が下がる。また、０．５×Ｈを超えると、抑え力が減少し、プレス作業に支障がでる。
【００１９】
以上の条件に加えて、段ボール円板１８を成形に適した温度まで加熱する。段ボール円板１８が所定の温度に達したら、パンチ２４を下げ、凸部２３を凹部２１に挿入することで、プレス工程を実行し、成形品を得る。この成形品は紙製深皿となる。
【００２０】
なお、プレス機２０は一例を示したに過ぎず、ダイ２２を上にパンチ２４を下に配置することや、パンチ２４を水平に移動させる横型プレス機であってもよく、プレス機の構造は自由に選択できる。
【００２１】
図６は本発明に係る紙製深皿の斜視図、図７は図６の７−７線断面図である。
図７に示すとおり、紙製深皿２７は、平板１１に波板１２を貼り合わせてなる段ボール紙を素材として、波板１２側が外面、平板１１側が食べ物載置面となる向きでプレス加工により深皿状に成形してなることを特徴とする。
【００２２】
利用者の指は、波板１２を構成する波の頂部１６だけに接触するため、熱い若しくは冷たい食べ物を取り扱う場合であっても、利用者は熱さや冷たさをあまり感じることなく、深皿２７を取り扱うことができる。
【００２３】
図６に戻って、紙製深皿２７は外面に波板１２を臨ませ、波模様が蔓を編んだように見える。プラスチック深皿や陶製深皿は、一般に内外面とも平坦であるため、外面に模様を描くなどの手を加える必要がある。この点、本発明の紙製深皿２７は、外面に波模様が現れ、籐籠風の印象を与えるため、プレス成形品のままで、商品化が可能となる。
【００２４】
なお、図７で、紙製深皿２７の縁の下面２８は波がやや潰れている。しかし、縁の下面は、図６では最も目立たぬ位置にある。そのため、波の一部が潰れているにも拘わらず、紙製深皿２７の外観性を良好に保つことができる。
【００２５】
尚、請求項１では、波模様は、実施例で説明した蛇行波の他、直線波、直線波を交差させた格子模様又は菱形模様若しくは多角模様であってもよく、要は見かけ上、波板の厚さを増加することができ、利用者の指に食べ物の温度が伝わりにくい構造であれば、種類は問わない。
【００２６】
また、紙製深皿は、文字通りの深皿の他、中皿、浅皿、ボール、パレットの何れでもよく、食べ物を載せる若しくは収納する容器であれば、種類は問わない。
【産業上の利用可能性】
【００２７】
本発明の紙製深皿は、食べ物を載せる皿に好適である。
【図面の簡単な説明】
【００２８】
【図１】本発明で採用した素材の断面図である。
【図２】図１の２矢視図である。
【図３】本発明に係る剪断後の段ボール紙の背面図である。
【図４】本発明に係る段ポール円板の平面図である。
【図５】本発明に係るプレス工程の説明図である。
【図６】本発明に係る紙製深皿の斜視図である。
【図７】図６の７−７線断面図である。
【図８】特許文献１の図１の再掲図である。
【符号の説明】
【００２９】
１０…段ボール紙、１１…平板、１２…波板、１４…蛇行波、２７…紙製深皿。
【図１】
2005047581.tif 000003
【図２】
2005047581.tif 000004
【図３】
2005047581.tif 000005
【図４】
2005047581.tif 000006
【図５】
2005047581.tif 000007
【図６】
2005047581.tif 000008
【図７】
2005047581.tif 000009
【図８】
2005047581.tif 000010